(57)【要約】      （修正有）【課題】アームレスト本体の回転をロックするロックばねの自由側フックによって発生するロック力の低下、囓り、磨耗を抑制する。【解決手段】シートフレームに固定される固定軸２と、回転自在に支持されるアームレスト本体７と、一端がアームレスト本体７に係止される固定側フック３ａ、他端が自由側フック３ｂとなっているコイルばねからなるロックばね３と、ロックばね３を拡径させるフック嵌合部１３とを有し、アームレスト本体７から立ち上がるように設けられるフック用プレート１１と、アームレスト本体７を収納方向に回転させたときロックばね３のロックを解除するロック解除カム部５ｂ及びアームレスト本体７を展開方向に回転させたとき、ロックばね３によるロック作動状態とする再ロックカム部５ｃを有し、固定軸２に設けられるカム部材５とを備える。【選択図】図１
2008161500.tif 000002
【特許請求の範囲】
【請求項１】
シートフレームに固定される固定軸と、
この固定軸が挿入されて回転自在に支持されるアームレスト本体と、
前記固定軸に密着状態で巻回され、一端が前記アームレスト本体に係止される固定側フック、他端が自由側フックとなっているコイルばねからなるロックばねと、
前記自由側フックを前記固定軸の軸線方向に引き上げた状態を支持するフック支持部及びフック支持部上の自由側フックが固定軸の軸線下方向に落ち込むことによりロックばねを拡径させるフック嵌合部とを有し、前記アームレスト本体から立ち上がるように設けられるフック用プレートと、
前記アームレスト本体を収納方向に回転させたとき、自由側フックを前記フック支持部からフック嵌合部に落とし込んでロックばねのロックを解除するロック解除カム部及びアームレスト本体を展開方向に回転させたとき、自由側フックを前記フック嵌合部から持ち上げてフック支持部に支持させロックばねによるロック作動状態とする再ロックカム部を有した前記固定軸に設けられるカム部材と、を備えていることを特徴とするアームレスト装置。
【請求項２】
前記ロックばねのコイル部に臨んでコイル部の軸方向変位を抑制する押え面部と、自由側フックに臨んで自由側フックの前記引き上げ及び落ち込みを許容するフック許容面部とを有したスペーサをさらに備え、前記スペーサが固定軸に取り付けられていることを特徴とする請求項１記載のアームレスト装置。
【請求項３】
前記フック用プレートは、前記フック支持部に支持されている自由側フックに当接してフック嵌合部への落とし込みを促進するフック呼び込み部を有していることを特徴とする請求項１又は２記載のアームレスト装置。
【請求項４】
前記カム部材は、前記フック支持部に支持されている自由側フックをフック嵌合部に案内する傾斜ガイド面を有していることを特徴とする請求項１〜３のいずれか１項記載のアームレスト装置。
【請求項５】
前記カム部材は、自由側フックが前記フック嵌合部に落ち込んだとき、自由側フックに当接してフック嵌合部へさらに深く落ち込ませる傾斜保持面を有していることを特徴とする請求項１〜４のいずれか１項記載のアームレスト装置。
【請求項６】
前記ロックばねは、コイル部における自由側フックに隣接した部分のコイル内径が他の部分のコイル内径よりも大きくなっていることを特徴とする請求項１〜５のいずれか１項記載のアームレスト装置。
【発明の詳細な説明】
【技術分野】
【０００１】
本発明は、自動車用シートに装着される可動式のアームレスト装置に関し、特に無段階的に角度調整が可能なアームレスト装置に関する。
【背景技術】
【０００２】
従来の可動式のアームレスト装置としては、特許文献１及び特許文献２に開示されている。これらのアームレスト装置は、アームレスト本体がシートフレームに対して回転自在となっており、アームレスト本体の回転のロック及びその解除を行うためのロックばねとしてコイルばねを用いている。
【０００３】
特許文献１に記載されたアームレスト装置は、シートフレームに設けた固定軸にロックばねを巻き付けてアームレスト本体の回転のロック及びその解除を行う。ロックばねは、固定側フックがアームレスト本体に固定されており、自由側フックが拡径方向又は縮径方向に移動する。自由側フックが拡径方向に移動することによりロックばねによるロックが解除され、縮径方向に移動することによりロックばねによるロックが行われる。
【０００４】
ロックばねのロック解除は、ロックばねの自由側フックがリング部のフリー作動部によってロックばねの拡径方向に回転し、次いで自由側フックの自由側係合部がアームレスト本体側のカバー部の一体移動用嵌合部に落ち込むことにより行われる。同時に、一体移動用嵌合部に落ち込んだ分、自由側フックが上に動くため、自由側フックとフリー作動部との当接が外れて自由側フックは移動溝を移動し、リング部の回転が許容されるため、アームレスト本体を収納方向に回転させることができる。
【０００５】
特許文献２に記載されたアームレスト装置は、ロックばねのロックを解除するようにロックばねの自由側フックに当接するアンロック当接部と、自由側フックに係合するアンロックカム面及び切り替えカム溝を備えている。このアームレスト装置では、アンロック当接部がロックばねの自由側フックを拡径方向に回転させる。これにより、自由側フックがアンロックカム面を乗り上げて切り替えカム溝に落ち込む。又、アンロック当接部が自由側フックを回転させると、案内カム面が自由側フックをさらに押し下げ、アンロック当接部との当接が外れ、当接部材の回動が許容される。これにより、アームレスト本体を収納方向に回転させることができる。
【特許文献１】特開２００３−２９９５４７号公報
【特許文献２】特開２００６−２６１１５号公報
【発明の開示】
【発明が解決しようとする課題】
【０００６】
特許文献１記載のアームレスト装置では、ロックばねの自由側フックがカバー部によって常に固定軸の軸線方向に押し下げられており、この押し下げの反力によって自由側フックが一体移動用嵌合部に落ち込む構造となっている。しかしながら、自由側フックを固定軸の軸線方向へ押し下げる際、固定軸に巻回されているロックばねのコイル部が邪魔になるため下方には動きにくくなっている。その結果、自由側フックは無理に押し下げられることになるため、固定軸に巻回されているロックばねのコイル部がずれて不自然な巻き付き状態となり、安定したロック力が得られないばかりでなく、自由側フックの上方へ戻ろうとする反力も大きくなるため、回転するカバー部と自由側フックが相互に囓ったり、磨耗する問題がある。
【０００７】
又、カバー部が自由側フックを押し下げているため、自由側フックとリング部のフリー作動部との当接が外れた後に自由側フックの移動を許容するための移動溝をフリー作動部に設ける必要がある。このため、フリー作動部が細長くなり、自由側フックの回転のための強度が不足したり、耐久性が低下する問題を有している。
【０００８】
特許文献２記載のアームレスト装置では、案内カム面がロックばねの自由側フックを固定軸の軸線下方向に押し下げる際、固定軸に巻回されたロックばねのコイル部が邪魔になって下方へに動きにくくなっている。その結果、自由側フックが無理に押し下げられることになるため、固定軸に巻回されているロックばねのコイル部がずれて不自然な巻き付き状態となり、安定したロック力が得られないばかりでなく、自由側フックの上方へ戻ろうとする反力も大きくなるため、回転するアンロック当接部下面と自由側フックが相互に囓ったり、磨耗する問題がある。
【０００９】
本発明は、このようなロックばねの自由側フックによって発生するロック力の低下、囓り、磨耗を抑制することができるアームレスト装置を提供することを目的とする。
【課題を解決するための手段】
【００１０】
請求項１記載の発明のアームレスト装置は、シートフレームに固定される固定軸と、この固定軸が挿入されて回転自在に支持されるアームレスト本体と、前記固定軸に密着状態で巻回され、一端が前記アームレスト本体に係止される固定側フック、他端が自由側フックとなっているコイルばねからなるロックばねと、前記自由側フックを前記固定軸の軸線方向に引き上げた状態を支持するフック支持部及びフック支持部上の自由側フックが固定軸の軸線下方向に落ち込むことによりロックばねを拡径させるフック嵌合部とを有し、前記アームレスト本体から立ち上がるように設けられるフック用プレートと、前記アームレスト本体を収納方向に回転させたとき、自由側フックを前記フック支持部からフック嵌合部に落とし込んでロックばねのロックを解除するロック解除カム部及びアームレスト本体を展開方向に回転させたとき、自由側フックを前記フック嵌合部から持ち上げてフック支持部に支持させロックばねによるロック作動状態とする再ロックカム部を有した前記固定軸に設けられるカム部材と、を備えていることを特徴とする。
【００１１】
請求項１記載の発明では、ロックばねの自由側フックがフック用プレートのフック支持部に支持されているとき、自由側フックがロックばねの軸線方向の上方に引き上げられると共に、ロックばねは縮径したロック状態となっており、アームレスト本体はロックばねの縮径方向には回転しない。自由側フックがフック嵌合部に落ち込むことにより、自由側フックは固定軸の軸線方向の下方に動いて、ロックばねが拡径してロック解除状態となり、アームレスト本体の正逆方向への回転が可能となる。カム部材のロック解除カム部は、ロックばねの自由側フックがフック嵌合部に落ち込むように作用し、再ロックカム部は、自由側フックを持ち上げてフック支持部に支持されるように作用する。
【００１２】
請求項１記載の発明では、自由側フックが固定軸の軸線方向に引き上げられると共に、ロックばねは縮径したロック状態となっている。このように自由側フックが引き上げられる方向は、ロックばねのコイル部から離れる方向であり、コイル部が邪魔にならない。このため、自由側フックが動き易く、コイル部に無理な力が作用することがなく、コイル部にずれが発生せず、安定したロック力を得ることができると共に、相互に摺動するフック支持部と自由側フックとが囓ったり、磨耗することもない。
【００１３】
請求項２記載の発明は、請求項１記載のアームレスト装置であって、前記ロックばねのコイル部に臨んでコイル部の軸方向変位を抑制する押え面部と、自由側フックに臨んで自由側フックの前記引き上げ及び落ち込みを許容するフック許容面部とを有したスペーサをさらに備え、前記スペーサが固定軸に取り付けられていることを特徴とする。
【００１４】
請求項３記載の発明は、請求項１又は２記載のアームレスト装置であって、前記フック用プレートは、前記フック支持部に支持されている自由側フックに当接してフック嵌合部への落とし込みを促進するフック呼び込み部を有していることを特徴とする。
【００１５】
請求項４記載の発明は、請求項１〜３のいずれか１項記載のアームレスト装置であって、前記カム部材は、前記フック支持部に支持されている自由側フックをフック嵌合部に案内する傾斜ガイド面を有していることを特徴とする。
【００１６】
請求項５記載の発明は、請求項１〜４のいずれか１項記載のアームレスト装置であって、前記カム部材は、自由側フックが前記フック嵌合部に落ち込んだとき、自由側フックに当接してフック嵌合部へさらに深く落ち込ませる傾斜保持面を有していることを特徴とする。
【００１７】
請求項６記載の発明は、請求項１〜５のいずれか１項記載のアームレスト装置であって、前記ロックばねは、コイル部における自由側フックに隣接した部分のコイル内径が他の部分のコイル内径よりも大きくなっていることを特徴とする。
【発明の効果】
【００１８】
本発明によれば、ロックばねを縮径させると共に自由側フックが固定軸の軸線方向に引き上げられる。この方向は、ロックばねのコイル部から離れる方向であり、コイル部が邪魔にならず、自由側フックが動き易く、コイル部に無理な力が作用することがなく、コイル部にずれが発生せず、安定したロック力を得ることができると共に、相互に囓ったり、磨耗することもなくなる。
【発明を実施するための最良の形態】
【００１９】
以下、本発明を図示する実施形態に基づいて具体的に説明する。図１〜図２０は本発明の実施形態を示し、図１はアームレスト装置の正面図、図２はアームレスト装置の背面図、図３及び図４は図１におけるＡ−Ａ線断面図及びＢ−Ｂ線断面図である。図５はアームレスト本体を、図６は固定軸を、図７はリング体を、図８は回転プレートを、図９はロックばねを、図１０はカム部材を、図１１はフック固定部材をそれぞれ示す。図１２〜図２０は作動を示す説明図である。
【００２０】
アームレスト装置は、アームレスト本体７と、固定軸２と、ロックばね３と、カム部材５と、回転プレート１と、リング体２１とを備えている。
【００２１】
アームレスト本体７は図５に示すように、横長形状に形成されており、底面の基端部側には固定軸２が貫通する貫通孔７ａが形成されている。
【００２２】
図３及び図６に示すように、固定軸２は円筒形状に形成されている。固定軸２は、ロックばね３のコイル部３ｃが締め代を有して巻き付けられる大径部２ｃと、大径部２ｃの一端側に一体的に形成された小径部２ａと、大径部２ｃの他端側に一体的に形成された固定凸部２ｄとを有している。小径部２ａの端部には固定凸部２ｂが形成されている。他端側の固定凸部２ｄはカム部材５に連結され、小径部２ａ側の固定凸部２ｂはリング体２１に連結される。
【００２３】
リング体２１は、図示を省略した車両用シートのシートフレーム（シートバックフレーム）におけるアームレスト取付部に固定される。図２，図３及び図７に示すように、リング体２１には、アームレスト取付部に形成された嵌合孔に嵌合して結合する爪部２１ｂが形成されている。爪部２１ｂが嵌合することによりリング体２１，固定軸２及びカム部材５がアームレスト取付部に固定される。リング体２１には、円弧状の固定孔２ａが同一円周上に複数形成されている。固定孔２ａには、固定軸２の端部の固定凸部２ｂが圧入、加締め、溶接等の手段によって固定され、固定軸２とリング体２１とが一体化する。リング体２１の中央部分には、ねじ孔２１ｃが形成されており、ねじ孔２１ｃにねじ（図示省略）を挿通してアームレスト取付部にねじ込むことにより、リング体２１がアームレスト取付部に固定される。
【００２４】
図３、図４及び図９に示すように、ロックばね３はコイル部３ｃを有したコイルばねが使用される。コイル部３ｃは自由状態において、固定軸２の大径部２ｃより僅かに小さい内径になっており、固定軸２の大径部２ｃが挿入されることにより大径部２ｃに密着する。コイル部３ｃの両側には、固定側フック３ａ及び自由側フック３ｂが形成されている。固定側フック３ａは、回転プレート１に溶接されたフック固定部材４に係止される。このためフック固定部材４には、固定側フック３ａが挿入される凸部４ａが形成されている（図１１参照）。固定側フック３ａが回転プレート１側のフック固定部材４に係止されることにより、ロックばね３の全体が回転プレート１と共に回転する。自由側フック３ｂは自由状態となっており、後述するように固定軸２の軸線方向に沿って上下することによりコイル部３ｃを縮径及び拡径させる。
【００２５】
回転プレート１は図３、図４及び図８に示すように、貫通孔１ａを有し、貫通孔１ａに固定軸２の小径部２ａが挿入される。このことにより、回転プレート１は固定軸２に対して回転可能となっている。回転プレート１は、アームレスト本体７に溶接等により一体化され、アームレスト本体７は回転プレート１と共に回転する。
【００２６】
回転プレート１には、固定軸２の軸線方向に立ち上がるフック用プレート１１が一体的に形成されている。フック用プレート１１は図３に示すように、フック支持部１２及びフック嵌合部１３を有している。フック支持部１２はロックばね３の自由側フック３ｂが当接し、この当接により自由側フック３ｂを固定軸２の軸線方向に引き上げた状態を維持する。
【００２７】
図３及び図４は、自由側フック３ｂがフック支持部１２によって支持された状態を示す。フック支持部１２に自由側フック３ｂが支持されることにより、コイル部３ｃにおける自由側フック３ｂに連設した部分が他の部分から引き上げられると共に、コイル部３ｃが縮径状態を維持し、ロックばね３はロック状態となっている。又、フック支持部１２に自由側フック３ｂが支持された状態では、コイル部３ｃの元に戻ろうとする反力により、自由側フック３ｂはフック支持部１２の上面（すなわち図３において、固定軸２のカム部材５側の面）を常に下に押している状態となっている。以下、この実施形態において、「上」は固定軸２のカム部材５側を、「下」は固定軸２のカム部材５と反対側（アームレスト本体７側）を示すものとする。なお、固定軸２は自由側フック３ｂの上方向への移動に伴うコイル部３ｃの動きを許容できる長さを有している。
【００２８】
フック用プレート１１のフック嵌合部１３は、フック支持部１２から溝状となって落ち込んでおり、ロックばね３の自由側フック３ｂが落ち込む。自由側フック３ｂの落ち込みにより、コイル部３ｃが拡径し、ロックばね３のロック状態が解除される。
【００２９】
カム部材５は図１、図３及び図１０に示すように、円弧状の複数の固定孔５ａが同一円周上に形成され、固定孔５ａに固定軸２の固定凸部２ｄが圧入、加締め、溶接等の手段により固定される。これにより、カム部材５と固定軸２とが連結され、カム部材５は固定状態となる。
【００３０】
カム部材５の外周側には、ロック解除カム部５ｂと再ロックカム部５ｃとがアームレスト保体７の回転方向に離間して形成されている。ロック解除カム部５ｂはフック支持部１２に支持されているロックばね３の自由側フック３ｂに当接し、自由側フック３ｂがフック支持部１２から外れてフック嵌合部１３に落ち込むように作用する。従って、ロック解除カム部５ｂはロックばね３のロックを解除する。ロック解除カム部５ｂが自由側フック３ｂに当接する面は、固定軸の軸線方向に延びると共に、その高さは自由側フック３ｂを支持しているフック支持部１２の面と略同じとなっている。
【００３１】
再ロックカム部５ｃは、自由側フック３ｂをフック嵌合部１３から持ち上げて自由側フック３ｂがフック支持部１２に支持されるように作用する。従って、再ロックカム部５ｃはロックばね３をロック状態とする。自由側フック３ｂを持ち上げるため、再ロックカム部５ｃは傾斜している。すなわち、再ロックカム部５ｃが自由側フック３ｂに当接する面には、フック嵌合部１３から自由側フック３Ｂを持ち上げ易い舌状の傾斜が形成される。より具体的には、再ロックカム部が自由側フック３ｂに当接する面には、先端に向かうほど自由側フック３ｂに近づく傾斜が形成されるものである。
【００３２】
なお、カム部材５の中央部分には固定軸２の内部に嵌入する凹部５ｄが形成されている。又、凹部５ｄの中央部分にはねじ孔５ｅが形成され、ねじ孔５ｅにねじ（図示省略）が挿通することにより固定軸２の全体がアームレスト取付部に固定される。
【００３３】
次に、この実施形態の作動を図１２〜図２０により説明する。これらの図において、矢印Ｓはアームレスト装置をシートバック側に収納する収納方向であり、矢印Ｔはアームレスト装置をシートバックから引き出す展開方向であり、「○」は回転可能、「×」は回転できないことを示す。又、各図において、（ａ）はフック用プレート１１に対する自由側フック３ｂの動きを、（ｂ）はアームレスト本体の回転に伴う自由側フック３ｂの動きを示している。
【００３４】
図１２〜図１４は、アームレスト装置が使用される角度範囲での作動であり、アームレスト装置のロック作動状態を示している。これらの図において、矢印Ｓ方向へのアームレスト本体７の回転は、ロックばね３が拡径する方向のためアームレスト本体７を軽い力で回転させることができる。これに対し、矢印Ｔ方向への回転方向は、ロックばね３が縮径して固定軸２を締め付ける方向のため、アームレスト本体７は矢印Ｔ方向への回転がロックされ、アームレスト本体７はその角度位置で保持される。従って、アームレスト本体７の角度調整を無段階で行うことができる。このとき、フック支持部１２はロックばね３の拡縮径を許容しており、ロックばね３が拡縮径する方向への自由側フック３ｂの動きを阻害しない。
【００３５】
図１４の角度位置では、カム部材５のロック解除カム部５ｂが自由側フック３ｂと当接する位置となっている。この位置からさらに矢印Ｓ方向にアームレスト本体７を回転させていくと、ロック解除カム部５ｂがフック支持部１２上の自由側フック３ｂをロックばね３が拡径する方向へ押していき（又は、回していき）、図１５の矢印で示すように、自由側フック３ｂがフック嵌合部１３に落ち込んで嵌合状態が保持される。すなわち、ロックばね３の自由側フック３ｂがフック支持部１２に支持されて固定軸２の軸線方向の上方向に引き上げられているため、その反力により自由側フック３ｂは自らフック嵌合部１３に落ち込み、且つその状態が維持される。この状態は、ロックばね３が拡径され、ロック解除状態が維持されている状態に他ならない。この状態では、矢印Ｓ及びＴの両方向へアームレスト本体７を回転させることができる。そして、アームレスト本体７を矢印Ｓ方向にさらに回転させることにより図１６の収納位置となる。
【００３６】
図１６の収納位置からアームレスト本体７を矢印Ｔで示す展開方向に回転させると、順に図１７、図１８、図１９、図２０の状態となる。この展開方向へのアームレスト本体７の回転は、自由側フック３ｂがフック嵌合部１３に嵌合することによりロックばね３が拡径してロック解除状態となっているため、矢印Ｓ及びＴの両方向に回転させることができる。
【００３７】
図２０はアームレスト本体７の最下端位置を示し、この位置まで矢印Ｔ方向にアームレスト本体７を回転させると、カム部材５の再ロックカム部５ｃが自由側フック３ｂをフック嵌合部１３から持ち上げる。従って、自由側フック３ｂはフック嵌合部１３との嵌合が外れて、フック支持部１２に支持される。これにより、図１２のロック作動状態となり、上述したと同様の無段階の角度調整を行うことができる。
【００３８】
このような実施形態では、自由側フック３ｂが固定軸２の軸線方向に引き上げられてフック支持部１２に支持されることにより、ロックばね３がロック作動状態となる。このような自由側フック３ｂが引き上げられる方向は、自由側フック３ｂがコイル部３ｃから離れる方向であり、コイル部３ｃが邪魔にならない。このため、自由側フック３ｂが動き易く、コイル部３ｃに無理な力が作用せず、コイル部３ｃにずれが発生しないため、安定したロック力を得ることができると共に、相互に摺動するフック支持部１２と自由側フック３ｂとが囓ったり、磨耗することもない。
【００３９】
図２１〜図２４は、本発明の別の実施形態を示す。この実施形態では、図１〜図２０の構造に加えて、スペーサ１５を組み付けるものである。スペーサ１５は図２１〜図２３に示すように、ロックばね３のコイル部３ｃにおける自由側フック３ｂの上面と、カム部材５の下面との間に設けられる。
【００４０】
図２４に示すように、スペーサ１５は円形リング状に形成されている。スペーサ１５は、押え面部１５ａと、フック許容面部１５ｂとを有している。押え面部１５ａは、リング状の略半分を肉厚状とすることにより形成される。押え面部１５ａは肉厚状でロックばね３のコイル部３ｃに臨む。このことにより、押え面部１５ａは図２２に示すように、ロックばね３のコイル部３ｃに当接してコイル部３ｃの軸方向への変位を防止する。
【００４１】
フック許容面部１５ｂはリング状の略半分を肉薄状とすることにより形成される。フック許容面部１５ｂは肉薄状態でロックばね３の自由側フック３ｂに臨む。従って、フック許容面部１５ｂは自由側フック３ｂに干渉することがなく、自由側フック３ｂは上記引き上げ作動及び落ち込み作動を円滑に行うことができる。符号１５ｃはフック許容面部１５ｂに形成された逃げ溝であり、ここを自由側フック３ｂが上下に動くことにより引き上げ及び落ち込みが円滑となる。
【００４２】
スペーサ１５を組み込んだ実施形態では、フック許容面部１５ｂが肉薄であり、自由側フック３ｂの固定軸に沿った上下方向の妨げとならないため、自由側フック３ｂの挙動を円滑に行うことができる。又、押え面部１５ａはロックばね３のコイル部３ｃを押え付けるように作用する。このため、自由側フック３ｂが固定軸２に沿った引き上げ作動を行っても、これに追随してコイル部３ｃが軸方向に変位することがなく、コイル部３ｃの全体が引き上げられることがない。従って、コイル部３ｃが歪んで固定軸２に巻き付くことを防止でき、安定したロック力を確保することができる。
【００４３】
図２５及び図２６は、アームレスト本体７を変形させた実施形態を示す。図２５に示す実施形態では、フック支持部１２及びフック嵌合部１３を有したフック用プレート１１がＬ字形に形成されてアームレスト本体７に直接に溶接されている。従って、この形態では、フック用プレート１１が回転プレート１から独立した状態となっており、回転プレート１が削除されている。これにより、アームレスト装置全体の重量を軽減できるメリットがある。
【００４４】
図２６に示す実施形態では、アームレスト本体７をプレス打ち抜き加工することにより、フック用プレート１１がアームレスト本体７から立ち上がった状態で一体的に形成されている。この場合には、部品点数削減ができることから、アームレスト装置全体の重量をさらに軽減でき、しかもコストメリットがある。
【００４５】
図２７は、ロックばね３を変形させた実施形態を示す。ロックばね３では、コイル部３ｃにおける自由側フック３ｂに隣接した部分のコイル内径が他の部分のコイル内径よりも一巻き程度大きくなっている。符号３ｆは、コイル内径が大きくなった部分を示す。このように、コイル内径が大きくなっている部分では固定軸２との間に隙間が発生し、自由側フック３ｂの固定軸２の軸線上方向への動きがさらに円滑となる。これにより、自由側フック３ｂとフック支持部１２との間の磨耗を軽減させることができる。
【００４６】
図２８は、フック用プレート１１を変形させた実施形態を示す。フック用プレート１１は回転プレート１から立ち上がるように回転プレート１と一体的に形成されるが、フック用プレート１１にはフック呼び込み部１７が形成されている。フック呼び込み部１７は、フック支持部１２と離れた側におけるフック嵌合部１３の入口部分をフック支持部１２よりも高くすることにより形成されている。又、フック呼び込み部１７はフック支持部１２に向かって傾いた傾斜面となっている。すなわち、フック呼び込み部１７には、フック嵌合部１３の自由側フック３ｂが落ち込んでくる側と反対の面をフック支持部１２の面よりロックばね３の線径分程度高くすると共に自由側フック３ｂをフック嵌合部１３の方向へ掻き落とすための傾斜が形成されている。より具体的には、フック呼び込み部１７は先端に向かうほど自由側フック３ｂに近づく傾斜が形成されるものである。このようなフック呼び込み部１７を形成することにより、フック支持部１２上の自由側フック３ｂをフック嵌合部１３に落とし込むことを促進できる。
【００４７】
すなわち、ロック解除カム部５ｂに押されて自由側フック３ｂがフック嵌合部１３へ落ち込む際に、自由側フック３ｂとロック解除カム部５ｂとの間には、拡径されたコイル部３ｃの反力による摩擦力が発生する。この摩擦力は固定軸２の軸線方向に沿って引き上げられた反力によって自由側フック３ｂがフック嵌合部１３に落ち込む際の抵抗となる。フック呼び込み部１７は、この抵抗に対して自由側フック３ｂを強制的にフック嵌合部１３に案内するものであり、フック嵌合部１３への落ち込みが確実となる。
【００４８】
図２９及び図３０は、カム部材５を変形させた実施形態を示す。図２９のカム部材５では、ロック解除カム部５ｂにおける自由側フック３ｂと当接する面に傾斜ガイド面１８が形成されている。傾斜ガイド面１８は、自由側フック３ｂをフック支持部１２側に押す傾斜となっている。より具体的には、傾斜ガイド面１８は先端に向かうほど自由側フック３ｂに近づく傾斜となっている。このような傾斜ガイド面１８は、自由側フック３ｂをフック嵌合部１３に案内するように作用する。すなわち、傾斜ガイド面１８は自由側フック３ｂがフック支持部１２の上面を下に押す力を大きくするものであり、これにより自由側フック３ｂがフック嵌合部１３に落ち込み易くなる。
【００４９】
図３０のカム部材５では、ロック解除カム部５ｂに傾斜保持面１９が形成されている。傾斜保持面１９は、ロック解除カム部５ｂにおける自由側フック３ｂと当接する面の下面に傾斜を設けることにより形成されている。傾斜保持面１９の傾斜は、フック嵌合部１３に落ち込んだ自由側フック３ｂをさらに押し下げるように形成されるものであり、先端に向かうほど自由側フック３ｂから遠ざかる傾斜となっている。従って、傾傾斜保持面１９は、自由側フック３ｂがフック嵌合部１３に落ち込んだ後、自由側フック３ｂに当接してフック嵌合部１３へより深く落ち込ませるように作用する。このような傾斜保持面１９を形成することにより、フック嵌合部１３に落ち込んだ自由側フック３ｂをさらに押し下げることができるため、自由側フック３ｂがフック嵌合部１３に嵌合する状態をさらに確実に得ることができる。従って、特許文献２のように、ロック解除後に自由側フックをアンロック保持面によって押さえる必要がなくなる。
【図面の簡単な説明】
【００５０】
【図１】本発明の一実施形態におけるアームレスト装置の正面図である。
【図２】アームレスト装置の背面図である。
【図３】図１におけるＢ−Ｂ線断面図である。
【図４】図１におけるＡ−Ａ線断面図である。
【図５】（ａ）はアームレスト本体の正面図、（ｂ）はＣ−Ｃ線断面図である。
【図６】（ａ）は固定軸の平面図、（ｂ）は固定軸の側面図、（ｃ）は固定軸の底面図である。
【図７】（ａ）はリング体の側面図、（ｂ）はリング体の底面図である。
【図８】（ａ）は回転プレートの側面図、（ｂ）は平面図、（ｃ）は側面図である。
【図９】（ａ）はロックばねの側面図、（ｂ）は底面図である。
【図１０】（ａ）はカム部材の側面図、（ｂ）は平面図である。
【図１１】（ａ）はフック固定部材の平面図、（ｂ）は側面図である。
【図１２】（ａ）、（ｂ）は角度調整を説明する説明図である。
【図１３】図１２に続く状態を示す説明図である。
【図１４】図１３に続く状態を示す説明図である。
【図１５】図１４に続く状態を示す説明図である。
【図１６】図１５に続く状態を示す説明図である。
【図１７】図１６に続く状態を示す説明図である。
【図１８】図１７に続く状態を示す説明図である。
【図１９】図１８に続く状態を示す説明図である。
【図２０】図１９に続く状態を示す説明図である。
【図２１】本発明の別の実施形態におけるアームレスト装置の正面図である。
【図２２】図２１におけるＤ−Ｄ線断面図である。
【図２３】図２１におけるＥ−Ｅ線断面図である。
【図２４】（ａ），（ｂ），（ｃ），（ｄ），（ｅ）はスペーサの平面図、左側面図、正面図、右側面図、底面図である。
【図２５】（ａ），（ｂ）はアームレスト本体の別の実施形態を示す平面図及び断面図である。
【図２６】（ａ），（ｂ）はアームレスト本体のさらに別の実施形態を示す平面図及び断面図である。
【図２７】（ａ），（ｂ）はロックばねの別の実施形態を示す正面図及び底面図である。
【図２８】（ａ），（ｂ），（ｃ）はフック用プレートの別の実施形態を示す平面図、側面図、正面図である。
【図２９】（ａ），（ｂ）はカム部材の別の実施形態を示す正面図、平面図である。
【図３０】（ａ），（ｂ）はカム部材のさらに別の実施形態を示す正面図、平面図である。
【符号の説明】
【００５１】
１  回転プレート
２  固定軸
３  ロックばね
３ａ  固定側フック
３ｂ  自由側フック
３ｃ  コイル部
５  カム部材
５ｂ  ロック解除カム部
５ｃ  再ロックカム部
７  アームレスト本体
１１  フック用プレート
１２  フック支持部
１３  フック嵌合部
１５  スペーサ
１７  フック呼び込み部
１８  傾斜ガイド面
１９  傾斜保持面
【図１】
2008161500.tif 000003
【図２】
2008161500.tif 000004
【図３】
2008161500.tif 000005
【図４】
2008161500.tif 000006
【図５】
2008161500.tif 000007
【図６】
2008161500.tif 000008
【図７】
2008161500.tif 000009
【図８】
2008161500.tif 000010
【図９】
2008161500.tif 000011
【図１０】
2008161500.tif 000012
【図１１】
2008161500.tif 000013
【図１２】
2008161500.tif 000014
【図１３】
2008161500.tif 000015
【図１４】
2008161500.tif 000016
【図１５】
2008161500.tif 000017
【図１６】
2008161500.tif 000018
【図１７】
2008161500.tif 000019
【図１８】
2008161500.tif 000020
【図１９】
2008161500.tif 000021
【図２０】
2008161500.tif 000022
【図２１】
2008161500.tif 000023
【図２２】
2008161500.tif 000024
【図２３】
2008161500.tif 000025
【図２４】
2008161500.tif 000026
【図２５】
2008161500.tif 000027
【図２６】
2008161500.tif 000028
【図２７】
2008161500.tif 000029
【図２８】
2008161500.tif 000030
【図２９】
2008161500.tif 000031
【図３０】
2008161500.tif 000032